(57)【要約】【課題】ユーザがカスタマイズした内容に基づいて、カスタマイズした操作部の操作感を確認することができる操作部の設定方法、操作機能設定システム、及びデジタル機器を提供すること。【解決手段】ユーザによってタッチパネル２０のカスタマイズがなされ、ファームウェアが転送されてくると、デジタルカメラ１のＣＰＵ２６は、ファームウェアをＳＤＲＡＭ２１に展開して、カメラのモードを試用モードにする。試用モードにおいて、ユーザは、カスタマイズ後のファームウェアに基づいてタッチパネル２０を操作することが可能である。これにより、ユーザはタッチパネル２０の操作感などを確認することができる。【選択図】図５
2007006232.tif 000002
【特許請求の範囲】
【請求項１】
入力された位置を検出するポインティングデバイスを有し、このポインティングデバイスによって検出された位置に対応する操作機能に係る処理を実行させる操作部を備えるデジタル機器の上記位置と上記操作機能との対応関係の設定を変更し、
上記変更された対応関係の設定に基づいて上記操作部を試用可能状態に設定すると共に、上記変更された対応関係の設定の変更の可否を選択する選択操作の受付を待つための設定変更入力部を設定し、
上記設定変更入力部の入力を受け付けた後で上記操作部の試用可能状態と上記設定変更入力部の設定とを解除する、
ことを特徴とする操作部の設定方法。
【請求項２】
複数のアイコンを表示部に表示し、上記表示部に表示された各アイコンに対応する位置での入力を検出した場合に、この検出された位置に対応する操作機能に係る処理を実行させる操作部を具備するデジタル機器と、上記操作部の上記アイコンの位置と上記操作機能との対応関係の設定を変更する操作機能設定装置と、上記デジタル機器と上記操作機能設定装置との通信を行う通信手段と、を有する操作機能設定システムであって、
上記デジタル機器は、
上記操作機能設定装置によって変更された上記対応関係の設定に係る情報を、上記通信手段を介して上記操作機能設定装置から受信する受信手段と、
上記受信手段で受信された対応関係の設定に係る情報に基づいて上記操作部を試用可能状態に設定すると共に上記対応関係の設定の可否を選択させるための選択操作の入力を受け付ける設定変更入力部を上記操作部に設定し、上記設定変更入力部の入力を受け付けた後で上記操作部の試用可能状態と上記設定変更入力部の設定とを解除する試用手段と、
を含むことを特徴とする操作機能設定システム。
【請求項３】
上記試用手段は、上記表示部に特定のアイコンを表示させると共に、この特定のアイコンの位置に対応する操作機能を設定することにより、上記設定変更入力部の設定を行うことを特徴とする請求項２に記載の操作機能設定システム。
【請求項４】
上記試用手段は、上記表示部の上記対応関係の設定が変更されたアイコン位置とは異なる位置に上記特定のアイコンを表示させることを特徴とする請求項３に記載の操作機能設定システム。
【請求項５】
上記特定のアイコンの位置に対応する操作機能は、上記変更された対応関係の設定を確定するか否かを選択させるための表示を行う機能であることを特徴とする請求項３に記載の操作機能設定システム。
【請求項６】
上記特定のアイコンの位置に対応する操作機能は、上記対応関係の設定を変更前の設定と変更後の設定の何れかに切り替える機能であることを特徴とする請求項３に記載の操作機能設定システム。
【請求項７】
上記デジタル機器は、画像を表示する画像表示手段を更に具備し、
上記試用手段は、上記操作部を上記試用可能状態に設定する際に上記画像表示手段に上記操作部が試用可能状態に設定されたことを示す表示を行い、上記設定変更入力部の入力を受け付けた後で、上記操作部が試用可能状態に設定されたことを示す表示を消去することを更に行うことを特徴とする請求項２に記載の操作機能設定システム。
【請求項８】
上記受信手段によって受信された、上記対応関係の設定に係る情報を記憶する記憶手段を含み、
上記試用手段は、上記記憶手段に記憶された上記対応関係の設定に係る情報から上記操作部を試用可能状態に設定することを特徴とする請求項２に記載の操作機能設定システム。
【請求項９】
上記設定変更入力部により上記対応関係の設定を変更することが選択された場合に、上記記憶手段に記憶された上記対応関係の設定に係る情報により、変更対象となる対応関係の設定に係る情報を更新する更新手段を含むことを特徴とする請求項８に記載の操作機能設定システム。
【請求項１０】
上記更新手段は、上記設定変更入力部により上記対応関係の設定を変更しないことが選択された場合に、変更以前の対応関係の設定に係る情報により、上記記憶手段に記憶された上記対応関係の設定に係る情報を更新することを特徴とする請求項９に記載の操作機能設定システム。
【請求項１１】
上記更新手段は、上記デジタル機器の電源がオフされてから次に電源がオンされるまでの間、または次に電源がオンされた後に上記更新を行うことを特徴とする請求項９に記載の操作機能設定システム。
【請求項１２】
上記試用手段は、上記通信手段によって上記対応関係の設定に係る情報が受信され、上記デジタル機器と上記操作機能設定装置との通信が断たれたときに、上記操作部を試用可能状態に設定することを特徴とする請求項２に記載の操作機能設定システム。
【請求項１３】
上記試用手段は、上記操作部を試用可能状態に設定する際に、上記デジタル機器の動作に制限を設けることを特徴とする請求項２に記載の操作機能設定システム。
【請求項１４】
上記デジタル機器は、デジタルカメラであって、
上記動作の制限は、上記デジタルカメラによる撮影回数の制限であることを特徴とする請求項１３に記載の操作機能設定システム。
【請求項１５】
複数のアイコンを表示部に表示し、上記表示部に表示された各アイコンに対応する位置での入力を検出した場合に、この検出された位置に対応する操作機能に係る処理を実行させる操作部を有し、上記操作部の上記アイコンの位置と上記操作機能との対応関係の設定を変更する操作機能設定部を有する外部装置と通信可能になされたデジタル機器であって、
上記操作機能設定装置によって変更された上記対応関係の設定に係る情報を、上記通信手段を介して上記操作機能設定装置から受信する受信手段と、
上記受信手段で受信された対応関係の設定に係る情報に基づいて上記操作部を試用可能状態に設定すると共に上記対応関係の設定の可否を選択させるための選択操作の入力を受け付ける設定変更入力部を上記操作部に設定し、上記設定変更入力部の入力を受け付けた後で上記操作部の試用可能状態と上記設定変更入力部の設定とを解除する試用手段と、
を含むことを特徴とするデジタル機器。
【発明の詳細な説明】
【技術分野】
【０００１】
本発明は、操作部の設定方法、操作機能設定システム、及びデジタル機器に関する。
【背景技術】
【０００２】
デジタルカメラなどの携帯用デジタル機器には、デジタル技術を活かした多くの様々な機能が搭載されている。しかしながら、多くの様々な機能が搭載可能となっている反面、それらの機能を使用するための操作部には、搭載した機能に見合うだけの多数の操作ボタンが必要とされる。そこで、操作部の操作ボタンをタッチパネル式とし、用途などに応じてタッチパネルの表示内容などを変更することにより、操作ボタンの不足を補う技術が種々提案されている。例えば、特許文献１には、固定キーとタッチパネルと通信部と時計とを有し、ホストコンピュータから指示された設定時刻になるとタッチパネル上に表示されるメニューを変更するシステムが提案されている。
【０００３】
また、特許文献２には、ホストコンピュータに接続してソフトウェアをダウンロードするシステムにおいて、ホストコンピュータが接続されたクライアントの能力を判断し、クライアントの能力に適するようにダウンロードメニューを変更して表示するシステムが提案されている。
【０００４】
更に、特許文献３には、サーバにおいて選択されたカスタマイズの内容を電子機器に転送して電子機器の制御プログラムを書き換えることにより、専用のカスタマイズソフトウェアを使用しなくとも操作部などのカスタマイズを行うことができるカスタマイズシステムが提案されている。
【特許文献１】特開平１０−１６２０６０号公報
【特許文献２】特開平１０−２０７７１０号公報
【特許文献３】特開２００３−２３００４６号公報
【発明の開示】
【発明が解決しようとする課題】
【０００５】
ここで、上記特許文献１や上記特許文献２の技術では、表示メニューの更新については示されているが、タッチパネルの操作部を表すアイコンの形状や配置自体を変更することについては触れられていない。また、上記特許文献１や上記特許文献２の技術では、既に決定された内容で変更が行われるので、ユーザの好みなどに応じたカスタマイズを行うことができず、新たな操作機能を追加するというようなこともできない。
【０００６】
また、特許文献３においては、システムやプログラムの転送方法や試用の制限については開示されているが、タッチパネルの操作部を表すアイコンの形状や配置自体を変更することについては触れられておらず、また具体的な試用に関する構成についても述べられていない。
【０００７】
本発明は、上記の事情に鑑みてなされたものであって、ユーザがカスタマイズした内容に基づいて、カスタマイズした操作部の操作感を確認することができる操作部の設定方法、操作機能設定システム、及びデジタル機器を提供することを目的とする。
【課題を解決するための手段】
【０００８】
上記の目的を達成するために本発明の第１の態様による操作部の設定方法は、入力された位置を検出するポインティングデバイスを有し、このポインティングデバイスによって検出された位置に対応する操作機能に係る処理を実行させる操作部を備えるデジタル機器の上記位置と上記操作機能との対応関係の設定を変更し、上記変更された対応関係の設定に基づいて上記操作部を試用可能状態に設定すると共に、上記変更された対応関係の設定の変更の可否を選択する選択操作の受付を待つための設定変更入力部を設定し、上記設定変更入力部の入力を受け付けた後で上記操作部の試用可能状態と上記設定変更入力部の設定とを解除することを特徴とする。
【０００９】
また、上記の目的を達成するために本発明の第２の態様による操作機能設定システムは、複数のアイコンを表示部に表示し、上記表示部に表示された各アイコンに対応する位置での入力を検出した場合に、この検出された位置に対応する操作機能に係る処理を実行させる操作部を具備するデジタル機器と、上記操作部の上記アイコンの位置と上記操作機能との対応関係の設定を変更する操作機能設定装置と、上記デジタル機器と上記操作機能設定装置との通信を行う通信手段と、を有する操作機能設定システムであって、上記デジタル機器は、上記操作機能設定装置によって変更された上記対応関係の設定に係る情報を、上記通信手段を介して上記操作機能設定装置から受信する受信手段と、上記受信手段で受信された対応関係の設定に係る情報に基づいて上記操作部を試用可能状態に設定すると共に上記対応関係の設定の可否を選択させるための選択操作の入力を受け付ける設定変更入力部を上記操作部に設定し、上記設定変更入力部の入力を受け付けた後で上記操作部の試用可能状態と上記設定変更入力部の設定とを解除する試用手段とを含むことを特徴とする。
【００１０】
また、上記の目的を達成するために本発明の第３の態様によるデジタル機器は、複数のアイコンを表示部に表示し、上記表示部に表示された各アイコンに対応する位置での入力を検出した場合に、この検出された位置に対応する操作機能に係る処理を実行させる操作部を有し、上記操作部の上記アイコンの位置と上記操作機能との対応関係の設定を変更する操作機能設定部を有する外部装置と通信可能になされたデジタル機器であって、上記操作機能設定装置によって変更された上記対応関係の設定に係る情報を、上記通信手段を介して上記操作機能設定装置から受信する受信手段と、上記受信手段で受信された対応関係の設定に係る情報に基づいて上記操作部を試用可能状態に設定すると共に上記対応関係の設定の可否を選択させるための選択操作の入力を受け付ける設定変更入力部を上記操作部に設定し、上記設定変更入力部の入力を受け付けた後で上記操作部の試用可能状態と上記設定変更入力部の設定とを解除する試用手段とを含むことを特徴とする。
【００１１】
これら第１〜第３の態様によれば、操作部の位置と操作機能の対応関係の設定が変更された後、その設定で操作部が試用可能状態となる。これにより、ユーザは操作部の操作感などを確認することができる。
【発明の効果】
【００１２】
本発明によれば、ユーザがカスタマイズした内容に基づいて、カスタマイズした操作部の操作感を確認することができる操作部の設定方法、操作機能設定システム、及びデジタル機器を提供することができる。
【発明を実施するための最良の形態】
【００１３】
以下、図面を参照して本発明の実施形態について説明する。  
［第１の実施形態］
図１（ａ）は本発明の第１の実施形態に係る操作機能設定システムの第１の例のシステム構成図である。図１（ａ）において、タッチパネル式の操作部を有するデジタルカメラ１は、通信部２を介してパーソナルコンピュータ（ＰＣ）３に接続されている。そして、ＰＣ３は通信部４を介してサーバ５に接続されている。ここで、ＰＣ３、通信部４、及びサーバ５でデジタルカメラ１の外部装置としての操作機能設定装置を構成している。
【００１４】
図１（ａ）においてデジタル機器の一例としてのデジタルカメラ１は、タッチパネル式の操作部を有している以外は、従来のものと同様である。通信部２は、例えばＵＳＢ通信や無線通信などによってデジタルカメラ１とＰＣ３とを通信接続する。ＰＣ３は、後述するカスタマイズアプリケーションがインストールされている以外は従来公知のものである。通信部４は、インターネットやＬＡＮなどを介してＰＣ３とサーバ５とを通信接続する。サーバ５は、デジタルカメラ１のタッチパネル式の操作部の設定を変更するためのファームウェア（ｆ／ｗ）を生成する。また、このファームウェアは、サーバ５からダウンロードできるように構成されている。
【００１５】
また、図１（ｂ）は本発明の第１の実施形態に係る操作機能設定システムの第２の例のシステム構成図である。図１（ｂ）において、タッチパネル式の操作部を有するデジタル機器としてのデジタルカメラ１は、通信部２を介してパーソナルコンピュータ（ＰＣ）３に接続されている。このＰＣ３にはＣＤ−ＲＯＭなどの記録メディア６に記録されているファームウェアを入力できるようになっている。
【００１６】
以下、図１（ａ）と図１（ｂ）とを特に区別せずに、本発明の第１の実施形態に係る操作機能設定システムについて説明する。まず、図２のブロック図を参照してデジタルカメラ１の構成について説明する。
【００１７】
図２に示すデジタルカメラ１は、撮影レンズ１１と、撮像素子１２と、撮像回路１３と、ＡＥ回路１４と、ＡＦ回路１５と、画像処理回路１６と、着脱メモリ１７と、表示部１８と、表示駆動回路１９と、タッチパネル２０と、ＳＤＲＡＭ（メモリ）２１と、ＦＬＡＳＨメモリ２２と、パワーＳＷ２３と、モードＳＷ２４と、操作部材２５と、ＣＰＵ２６と、通信部２７と、電池２８と、電源回路２９とを備えている。
【００１８】
撮影レンズ１１は、ズーム光学系、絞り部、オートフォーカス光学系などから構成されている。撮像素子１２は、例えば数百万画素からなる受光部を有し、撮影レンズ１１を介して入射した被写体像を電気信号に変換する。撮像回路１３は、撮像素子１２の出力信号におけるノイズ成分を除去するためのＣＤＳ（相関２重サンプリング）処理や撮像素子１２の出力信号を増幅するためのＡＧＣ（自動利得制御）処理などのアナログ処理や、撮像素子１２の出力信号をデジタル信号に変換して画像データを生成する処理などの各種信号処理を行う。ＡＥ回路１４は、撮像回路１３で得られた画像データに基づいて自動露出演算を実行する。ＡＦ回路１５は、撮像回路１３で得られた画像データに基づいて自動焦点演算を実行する。
【００１９】
画像処理回路１６は、撮像回路１３で得られた画像データに対して、画像データの白バランスを調整する白バランス調整処理や、画像データをデジタルカメラ標準の色バランスを有するＲＧＢ信号に変換する色マトリクス変換処理、画像データの階調を補正する階調補正処理、画像データをＹ（輝度）信号とＣ（色）信号とに変換するＹ／Ｃ変換処理等の各種画像処理を施す。また、画像処理回路１６は、画像処理された画像データをＪＰＥＧ方式などの所定の圧縮方式で圧縮して、この圧縮画像データを着脱メモリ１７に記録させる。ここで、着脱メモリ１７は、画像データを記録するための記録媒体であって、例えばメモリカードなどを想定している。
【００２０】
画像表示手段としての表示部１８は、画像処理回路１６で画像処理された画像や着脱メモリ１７に記録された画像を表示する。表示駆動回路１９は、表示部１８の表示動作を制御する。操作部としてのタッチパネル２０は、ユーザによる面上の入力位置を検知して、その入力位置に対応した操作機能に係る処理をデジタルカメラ１に実行させる。
【００２１】
ここで、タッチパネル２０について更に詳しく説明する。図３は、抵抗膜方式のタッチパネルの原理を説明するための図である。図３に示すタッチパネルは、ガラス２０ａとこのガラス２０ａを覆う透明のフィルム２０ｂとで構成されている。ガラス２０ａ、フィルム２０ｂのそれぞれ対向する面には透明導電物質であるＩＴＯ（インジュウム錫酸化物）２０ｃが設けられている。このＩＴＯ２０ｃには電極格子２０ｄが形成されている。
【００２２】
通常状態においては、ガラス２０ａとフィルム２０ｂとは離れている。この状態において、フィルム２０ｂを指やペン等でフィルム２０ｂを押し下げることにより、ガラス２０ａとフィルム２０ｂのそれぞれのＩＴＯ２０ｃが接触して導通回路が形成される。このときの導通回路における電極格子２０ｄの抵抗による分圧を測定することで、指やペン等で押された位置をタッチパネル２０によって検出することができる。つまり、ポインティングデバイスとして利用できる。
【００２３】
ここで、図１のタッチパネル２０においては、図３のガラス２０ａの底面に、例えばＴＦＴ液晶で構成された図示しない表示部が設けられている。この表示部は、タッチパネル２０の操作ボタンを表すアイコンを表示するために設けられている。このような構成により、表示部に表示されたアイコンの位置での入力をタッチパネル２０上で検出し、この位置に応じた操作機能に係る処理をデジタルカメラ内で実行させることが可能となる。
【００２４】
ここで、タッチパネル２０は、図３に示す抵抗膜方式に限られるものではなく、例えば超音波表面弾性波方式、赤外線遮光方式、静電容量方式、電磁誘導方式のタッチパネルを用いても良い。また、表示部は、例えば、ＴＦＴ液晶の他に、電源を切っても表示画像が消えないメモリ性液晶表示素子を用いても良い。更には、表示部１８にタッチパネル２０を設けるようにしても良い。
【００２５】
また、記憶手段としてのＳＤＲＡＭ２１は、撮像回路１３で得られた画像データや画像処理回路１６で画像処理された画像データなどの各種データを一時的に格納しておくためのメモリである。ＦＬＡＳＨメモリ２２は、デジタルカメラの調整データや種々の動作プログラムなどを保存する。更に、第１の実施形態のＦＬＡＳＨメモリ２２は、タッチパネル２０の制御プログラムとしてのファームウェアを保存している。ここで、ＦＬＡＳＨメモリ２２に保存されているファームウェアには、タッチパネル２０に設けられた表示部に所定の表示形態のアイコンを表示させるためのプログラム、各アイコンのタッチパネル２０上での配置を示すデータ、ユーザによる入力位置からデジタルカメラの操作機能を判断するためのプログラムなどが含まれている。
【００２６】
パワーＳＷ２３は、デジタルカメラ１の電源をオン／オフするための操作部材である。モードＳＷ２４は、デジタルカメラの動作モードを切り替えるための操作部材である。この動作モードとしては、例えば撮影を行うための撮影モード、着脱メモリ１７に記録された画像を再生するための再生モード、デジタルカメラ１とＰＣ３との通信を行うための通信モードなどがある。操作部材２５は、レリーズボタンなどの所定の機能を専用に操作するための操作部材である。
【００２７】
試用手段及び更新手段としてのＣＰＵ２６は、デジタルカメラ１の動作を統括して制御する。また、ＣＰＵ２６は、サーバ５からファームウェアのダウンロードがなされた場合に、ＦＬＡＳＨメモリ２２に保存されているファームウェアの更新を行う。受信手段としての通信部２７は、デジタルカメラ１とＰＣ３との通信を仲介する通信インターフェイスである。この通信部２７は、通信部２の通信方式に対応した種々の通信インターフェイスを用いることができる。
【００２８】
電池２８は、デジタルカメラ１の電源である。電源回路２９は、電池２８の電圧をデジタルカメラ１の各部がそれぞれ必要とする電圧に変換した後、デジタルカメラ１の各部に供給する。
【００２９】
次に、以上のような構成を有する第１の実施形態に係る操作機能設定システムの動作について説明する。ここで、タッチパネル２０のカスタマイズを行う前の各操作ボタンの配置を図４に示しておく。図４に示すタッチパネル２０には、例として図示しないフラッシュ装置を発光させるためのフラッシュボタン２０１、セルフタイマー撮影を行うためのセルフタイマーボタン２０２、マクロ撮影を行うためのマクロボタン２０３、表示部１８にメニュー画面を表示させるためのメニューボタン２０４、メニュー画面上に表示された項目などを選択するための十字ボタン２０５、項目を決定するための決定ボタン２０６といった各種操作ボタンが設けられている。
【００３０】
図５は、第１の実施形態に係る操作機能設定システムにおけるカスタマイズ処理について示すフローチャートである。デジタルカメラ１がＰＣ３に接続されると（ステップＳ１）、タッチパネル２０のカスタマイズを行うためのカスタマイズアプリケーションが起動する。ユーザはカスタマイズアプリケーションが起動するのに伴って例えば図６のようにＰＣ３のモニタ上に表示されたカスタマイズ画面３１上でカスタマイズ操作を行う。このカスタマイズ操作としては、例えばユーザはカスタマイズ画面３１に表示された操作ボタン配置選択画面３２に表示されている操作ボタン配置の中から所望の操作ボタン配置を選択する。このような操作を受けてカスタマイズアプリケーションは、サーバ５にユーザの選択を反映するようなファームウェアを生成させるような指示を行う（ステップＳ２）。なお、カスタマイズ処理はここで説明した手法に限られるものではない。例えば、タッチパネル２０に新たな操作ボタンを追加したり、操作ボタンを表すアイコンの形状などを変更できるようにしたりしても良い。
【００３１】
サーバ５においてファームウェアが生成されると、サーバ５からＰＣ３を介してデジタルカメラ１にファームウェアが転送される。新たなファームウェアが転送されると、デジタルカメラ１のＣＰＵ２６は、このファームウェアをＳＤＲＡＭ２１に転送する（ステップＳ３）。ここではファームウェアをＦＬＡＳＨメモリ２２に書き込むことはしない。ファームウェアの転送が終了した後、ＣＰＵ２６は試用中フラグをセットし（ステップＳ４）、デジタルカメラ１とＰＣ３との通信を切断する（ステップＳ５）。これにより、デジタルカメラ１の動作モードが試用モードに移行する。この試用モードにおいては、タッチパネル２０の操作ボタンが試用可能状態となる。この試用可能状態は、ユーザによるカスタマイズが反映された状態でタッチパネル２０の操作ボタン２０１〜２０６を操作することが可能な状態である。試用モード中に、ユーザによって各種操作部（ここでは、タッチパネル２０以外の操作部も含む）の操作がなされた場合に、デジタルカメラ１は、ユーザ操作に対応したカメラ動作を実行する（ステップＳ６）。このような試用モードにより、ユーザは、タッチパネル２０の操作感などを確認することができるようになっている。
【００３２】
ここで、試用モードにおいては、図７（ａ）に示すように、デジタルカメラ１の表示部１８上に、現在のモードが試用モードであることを示す「試用中」の文字表示１８１が表示されると共に、タッチパネル２０に設定変更入力部としてのカスタマイズボタン２０７が設けられる。このカスタマイズボタン２０７は、試用モードのときのみ設けられる操作ボタンであり、他のアイコンの表示位置に重ならないように設けられる。
【００３３】
また、試用モード中において、デジタルカメラ１のＣＰＵ２６は、ユーザによってカスタマイズボタン２０７が押されたか否かを判定しており（ステップＳ７）、カスタマイズボタン２０７が押されるまで試用モードのまま待機する。一方、カスタマイズボタン２０７が押された場合には、図７（ｂ）に示すようなカスタマイズ終了メニュー画面を表示部１８に表示させる（ステップＳ８）。このカスタマイズ終了メニュー画面においては、ファームウェアの変更を反映するための決定ボタンとファームウェアの変更をキャンセルするためのキャンセルボタンとが表示される。これらは十字ボタン２０５で選択でき、決定ボタン２０６で選択を決定することができる。ＣＰＵ２６は、ユーザによって決定ボタンが選択されたか否かを判定する（ステップＳ９）。ステップＳ９の判定において、決定ボタンが選択された場合には、ステップＳ９をステップＳ１０に分岐して、ＣＰＵ２６は、ＳＤＲＡＭ２１に格納されているファームウェアをＦＬＡＳＨメモリ２２に書き込む（ステップＳ１０）。このとき、カスタマイズボタン２０７が消去される。なお、このときユーザによってデジタルカメラ１の電源がオフされ、ＳＤＲＡＭ２１に格納されたファームウェアが失われてしまわないように、図７（ｃ）に示すような警告表示１８２を行うことが好ましい。ファームウェアの書き込みが終了した後、ＣＰＵ２６は、試用中フラグをクリアする（ステップＳ１１）。これにより、図５の処理が終了する。以後デジタルカメラ１は通常のカメラ動作に移行する。この場合には、図８に示すようなユーザによるカスタマイズがなされた状態のタッチパネル２０を利用することができる。
【００３４】
一方、ステップＳ９の判定において、決定ボタンが選択されていない場合には、ステップＳ９をステップＳ１２に分岐して、ＣＰＵ２６は、ユーザによってキャンセルボタンが選択されたか否かを判定する（ステップＳ１２）。ステップＳ１２の判定において、キャンセルボタンが選択されていない場合には、ステップＳ８に戻る。一方、ステップＳ１２の判定において、キャンセルボタンが選択された場合には、ステップＳ１２をステップＳ１３に分岐して、ＣＰＵ２６は、ＳＤＲＡＭ２１に格納されているファームウェアをクリアした後（ステップＳ１３）、ＦＬＡＳＨメモリ２２に格納されているユーザによるカスタマイズが行われる前のファームウェアをＳＤＲＡＭ２１に展開する（ステップＳ１４）。これにより、図５の処理が終了する。以後デジタルカメラ１は通常のカメラ動作に移行する。なお、この場合には、図４に示したカスタマイズ前の状態のタッチパネル２０に戻ることになる。
【００３５】
以上説明したように、第１の実施形態では、試用モードを設けたことにより、実際にファームウェアの書き換えが行われる前に、カスタマイズ後のタッチパネル２０の操作感を確認することが可能である。
【００３６】
なお、図５の処理では、処理の終了後に通常のカメラ動作に戻るようになっているが、図５の処理の終了時にデジタルカメラ１の電源のオフを促すような表示を行って、デジタルカメラ１の電源をオフさせるようにしても良い。この場合には、次回の電源オン時にＦＬＡＳＨメモリ２２に書き込まれたファームウェアの内容が読み出される。また、この場合には、ステップＳ１３及びステップＳ１４の処理は必要ない。
【００３７】
［第２の実施形態］
次に、本発明の第２の実施形態について説明する。この第２の実施形態は、試用モード時のデジタルカメラの動作に制限を設けるものである。ここでは、例えば撮影回数（画像記録枚数）の制限を設けている。なお、これ以外の構成や処理は第１の実施形態と同様である。
【００３８】
図９は、図５のステップＳ６の処理に相当する、ユーザ操作に応じたカメラ動作の処理について示したフローチャートである。試用モード中において、ＣＰＵ２６は、ユーザによって各種操作部による入力があったか否かを判定する（ステップＳ２１）。ステップＳ２１の判定において、操作部による入力がない場合には、図９のフローチャートを抜けて、図５のステップＳ７に移行する。一方、ステップＳ２１の判定において、操作部による入力があった場合には、ステップＳ２１をステップＳ２２に分岐して、ＣＰＵ２６は、入力のあった操作部がレリーズボタンであるか否かを判定する（ステップＳ２２）。ステップＳ２２の判定において、入力のあった操作部がレリーズボタン以外のボタンである場合には、ステップＳ２２をステップＳ２３に分岐して、ＣＰＵ２６は、入力のあった操作部に対応する処理を実行する（ステップＳ２３）。その後、図９のフローチャートを抜けて、図５のステップＳ７に移行する。
【００３９】
一方、ステップＳ２２の判定において、入力のあった操作部がレリーズボタンである場合には、ステップＳ２２をステップＳ２４に分岐して、レリーズ禁止フラグがレリーズ禁止に設定されているか否かを判定する（ステップＳ２４）。ステップＳ２４の判定において、レリーズ禁止に設定されている場合には、図９のフローチャートを抜けて、図５のステップＳ７に移行する。この場合には、撮影動作が禁止され、画像の記録は行われない。
【００４０】
一方、ステップＳ２４の判定において、レリーズ禁止に設定されていない場合には、ステップＳ２４をステップＳ２５に分岐して、試用モードになってからの撮影回数を示すレリーズ数をカウントアップする（ステップＳ２５）。そして、撮影動作を開始して、これによって得られた画像を着脱メモリ１７に記録する（ステップＳ２６）。次に、ＣＰＵ２６は、レリーズ数が所定回数を超えたか否かを判定する（ステップＳ２７）。ステップＳ２７の判定において、レリーズ数が所定回数を超えていない場合には、図９のフローチャートを抜けて、図５のステップＳ７に移行する。
【００４１】
一方、ステップＳ２７の判定において、レリーズ数が所定回数を超えた場合には、ステップＳ２７をステップＳ２８に移行して、ＣＰＵ２６は、レリーズ禁止フラグをレリーズ禁止に設定する（ステップＳ２８）。その後、図９のフローチャートを抜けて、図５のステップＳ７に移行する。これにより、次回レリーズボタンが押された場合にはステップＳ２４において撮影動作が禁止され、画像の記録が行われない。
【００４２】
なお、レリーズ禁止フラグは、カスタマイズボタン２０７が押され試用モードが終了された後に解除するようにする。
【００４３】
以上説明したように、第２の実施形態によれば、撮影回数に制限を設けたことにより、試用モードにおいて不必要に画像が記録されることがない。
【００４４】
なお、ステップＳ２４の所定回数は、例えば固定値として設定しておいても良いし、着脱メモリ１７の容量などに応じて設定できるようにしても良い。また、第２の実施形態では、撮影回数に制限を持たせるようにしているが、これに限るものではない。例えば、操作部の操作回数自体に制限を設けるようにしても良い。また、試用モードに時間制限を持たせるようにしても良い。
【００４５】
［第３の実施形態］
次に、本発明の第３の実施形態について説明する。この第３の実施形態は、カスタマイズボタン２０７が押されなくとも、デジタルカメラ１のパワーオフ操作がなされた時点で、ファームウェアの書き換えなどの試用モードの終了処理を行う例である。なお、これ以外の構成や処理は第１の実施形態や第２の実施形態と同様である。
【００４６】
図１０は、第３の実施形態に係る操作機能設定システムにおけるカスタマイズ処理について示すフローチャートである。なお、図５と同様の処理については説明を省略する。図１０において、ステップＳ１〜ステップＳ７の処理は図５と同様である。
【００４７】
ステップＳ７の判定において、カスタマイズボタン２０７が押されていない場合には、ステップＳ７をステップＳ３１に分岐して、ＣＰＵ２６は、ユーザによってパワーオフ操作、即ちパワーＳＷ２３がオフされたか否かを判定する（ステップＳ３１）。ステップＳ３１の判定において、パワーオフ操作がなされていない場合には、ステップＳ６に戻り、試用モードの動作を継続する。一方、ステップＳ３１の判定において、パワーオフ操作がなされた場合には、ステップＳ８に移行する。これ以後の処理は図５とほぼ同様である。ただし、第３の実施形態では図５のステップＳ１４の処理が省略されている。これは、ユーザによってパワーオフ操作がなされているためである。つまり、ファームウェアの読み出しは、次回のパワーオン時に行われる。
【００４８】
以上説明したように、第３の実施形態によれば、試用モード中にユーザによってパワーオフ操作がなされた場合には、カスタマイズボタン２０７が押されたのと同様の処理がなされる。これにより、例えば試用モード中にユーザが誤ってデジタルカメラのパワーオフ操作を行ってしまっても、ファームウェアの書き換えを行うことができる。
【００４９】
［第４の実施形態］
次に、本発明の第４の実施形態について説明する。この第４の実施形態は、第３の実施形態の変形例であり、カスタマイズボタン２０７を省略し、試用モード中に、デジタルカメラ１のパワーオフ操作がなされた時点で、ファームウェアの書き換えなどの試用モードの終了処理を行う例である。
【００５０】
図１１は、第４の実施形態に係る操作機能設定システムにおけるカスタマイズ処理について示すフローチャートである。なお、図５と同様の処理については説明を省略する。図１１において、ステップＳ１〜ステップＳ６の処理は図５と同様である。
【００５１】
ステップＳ６において、デジタルカメラを試用モードとした後、ＣＰＵ２６は、ユーザによってパワーオフ操作がなされたか否かを判定する（ステップＳ４１）。ステップＳ４１の判定において、パワーオフ操作がなされていない場合には、ステップＳ６に戻り、試用モードの動作を継続する。一方、ステップＳ４１の判定において、パワーオフ操作がなされた場合には、ステップＳ４１をステップＳ４２に分岐して、ＣＰＵ２６は、ＳＤＲＡＭ２１に格納されているファームウェアをＦＬＡＳＨメモリ２２に書き込む（ステップＳ４２）。ファームウェアの書き込みが終了した後、ＣＰＵ２６は、試用中フラグをクリアして（ステップＳ４３）、デジタルカメラ１の電源をオフする。これにより、図１１の処理が終了する。
【００５２】
以上説明したように、第４の実施形態によれば、試用モード時にカスタマイズボタン２０７を設ける必要がない。
【００５３】
［第５の実施形態］
次に、本発明の第５の実施形態について説明する。この第５の実施形態は、カスタマイズボタン２０７と同様の機能をメニューボタン２０４から実行できるようにした例である。
【００５４】
図１２は、第５の実施形態に係る操作機能設定システムにおけるカスタマイズ処理について示すフローチャートである。なお、図５と同様の処理については説明を省略する。図１２において、ステップＳ１〜ステップＳ６の処理は図５と同様である。
【００５５】
ステップＳ６において、デジタルカメラを試用モードとした後、ＣＰＵ２６は、ユーザによってメニューボタン２０４が押されたか否かを判定する（ステップＳ５１）。ステップＳ５１の判定において、メニューボタン２０４が押されていない場合には、ステップＳ６に戻る。一方、ステップＳ５１の判定において、メニューボタン２０４が押された場合には、ステップＳ５１をステップＳ５２に分岐して、ＣＰＵ２６は、表示部１８に図１３に示すようなトップメニューを表示させる（ステップＳ５２）。そして、ユーザによってトップメニュー中のカスタマイズ項目１８３が選択されたか否かを判定する（ステップＳ５３）。ステップＳ５３の判定において、カスタマイズ項目１８３が選択されていない場合には、ステップＳ５３をステップＳ５４に分岐して、ＣＰＵ２６は、ユーザによってトップメニュー中のカスタマイズ項目１８３以外の項目が選択されたか否かを判定する（ステップＳ５４）。ステップＳ５４の判定において、カスタマイズ項目１８３以外の項目も選択されていない場合には、ステップＳ５２に戻り、ユーザ操作があるまで待機する。また、ステップＳ５４の判定において、カスタマイズ項目１８３以外の項目が選択された場合には、ステップＳ５４をステップＳ５５に分岐して、ＣＰＵ２６は、ユーザ選択に対応したカメラ動作を実行する（ステップＳ５５）。その後、ステップＳ６に戻る。
【００５６】
また、ステップＳ５３の判定において、カスタマイズ項目１８３が選択された場合には、ステップＳ８に移行する。これ以後の処理は図５と同様である。
【００５７】
以上説明したような第５の実施形態の手法でも試用モード時にカスタマイズボタン２０７を設ける必要はない。
【００５８】
［第６の実施形態］
次に、本発明の第６の実施形態について説明する。ここで、第６の実施形態におけるタッチパネル２０のカスタマイズについて説明する。第６の実施形態では、例えば図１４のようにしてＰＣ３のモニタ上に表示されたカスタマイズ画面４１においてカスタマイズを行う。このカスタマイズ画面４１中の追加機能選択項目においてユーザが、自身が追加したい機能を選択すると、その機能に対応するボタンが表示される。例えば図１４の例ではズーム機能４１ａが選択された例であり、この場合ズームボタンを示すアイコン４２ａがカスタマイズ画面４１中に表示される。このアイコンを追加機能レイアウト画面４２中にドラッグアンドドロップすることにより、タッチパネル２０上でのズームボタンの位置が決定される。ここで、設定された情報に基づいて、サーバ５はファームウェアを生成し、生成したファームウェアをデジタルカメラ１に送信する。
【００５９】
ここで、第６の実施形態ではファームウェアを受信した時点で、受信したファームウェアをＦＬＡＳＨメモリ２２に追加するようにする。即ち、第６の実施形態では、以前のファームウェアを上書きしないようにする。以後、ＦＬＡＳＨメモリ２２に以前から書き込まれているカスタマイズ前のファームウェアをファームウェアＡ、サーバ５から受信したカスタマイズ後のファームウェアをファームウェアＢと称する。
【００６０】
図１５は、第６の実施形態に係る操作機能設定システムにおけるカスタマイズ処理について示すフローチャートである。サーバ５からＰＣ３を介してファームウェアが受信されると、ＣＰＵ２６は、受信したファームウェアをＳＤＲＡＭ２１に展開して試用モードに移行し（ステップＳ６１）、ユーザ操作に対応したカメラ動作を実行する（ステップＳ６２）。デジタルカメラを試用モードとした後、ＣＰＵ２６は、ユーザによってメニューボタン２０４が押されたか否かを判定する（ステップＳ６３）。ステップＳ６３の判定において、メニューボタン２０４が押されていない場合には、ステップＳ６２に戻る。一方、ステップＳ６３の判定において、メニューボタン２０４が押された場合には、ステップＳ６３をステップＳ６４に分岐して、ＣＰＵ２６は、表示部１８に図１６（ａ）に示すようなトップメニューを表示させる（ステップＳ６４）。そして、ユーザによってトップメニュー中の切り替え項目１８４が選択されたか否かを判定する（ステップＳ６５）。ステップＳ６５の判定において、切り替え項目１８４が選択されていない場合には、ステップＳ６５をステップＳ６６に分岐して、ＣＰＵ２６は、ユーザによってトップメニュー中の切り替え項目１８４以外の項目が選択されたか否かを判定する（ステップＳ６６）。ステップＳ６６の判定において、切り替え項目１８４以外の項目も選択されていない場合には、ステップＳ６２に戻り、ユーザ操作があるまで待機する。また、ステップＳ６６の判定において、切り替え項目１８４以外の項目が選択された場合には、ステップＳ６６をステップＳ６７に分岐して、ＣＰＵ２６は、ユーザ選択に対応したカメラ動作を実行する（ステップＳ６７）。その後、ステップＳ６２に戻る。
【００６１】
また、ステップＳ６５の判定において、切り替え項目１８４が選択された場合には、ステップＳ６５をステップＳ６８に分岐して、ＣＰＵ２６は、表示部１８に図１６（ｂ）に示すような操作系切り替えメニューを表示させる（ステップＳ６８）。次に、ＣＰＵ２６は、操作系切り替えメニュー中のＡ項目が選択されたか否かを判定する（ステップＳ６９）。ステップＳ６９の判定において、Ａ項目が選択された場合には、ステップＳ６９をステップＳ７０に分岐して、ＣＰＵ２６は、ファームウェアＡをＦＬＡＳＨメモリ２２から読み出してＳＤＲＡＭ２１に展開する（ステップＳ７０）。その後、ＣＰＵ２６は、ユーザによってパワーオフ操作がなされたか否かを判定する（ステップＳ７１）。ステップＳ７１の判定において、ユーザによってパワーオフ操作がなされていない場合には、ステップＳ６２に戻る。一方、ステップＳ７１の判定において、ユーザによってパワーオフ操作がなされた場合に、ＣＰＵ２６は、パワーオフ処理を行って、デジタルカメラ１の電源をオフする。これにより、図１５の処理が終了する。
【００６２】
また、ステップＳ６９の判定において、Ａ項目が選択されていない場合には、ステップＳ６９をステップＳ７２に分岐して、ＣＰＵ２６は、操作系切り替えメニュー中のＢ項目が選択されたか否かを判定する（ステップＳ７２）。ステップＳ７２の判定において、Ｂ項目が選択された場合には、ステップＳ７２をステップＳ７３に分岐して、ファームウェアＢをＦＬＡＳＨメモリ２２から読み出してＳＤＲＡＭ２１に展開する（ステップＳ７３）。その後、ステップＳ７１に移行する。この後、ステップＳ７１の判定において、ユーザによってパワーオフ操作がなされた場合に、ＣＰＵ２６は、パワーオフ処理を行って、デジタルカメラ１の電源をオフする。一方、ステップＳ７２の判定において、Ｂ項目が選択されていない場合には、ステップＳ６８に戻り、ユーザ操作を待つ。
【００６３】
以上説明したように、第６の実施形態では、試用モード中において、カスタマイズ前のファームウェアを読み出して、タッチパネル２０の操作を行うことができる。
【００６４】
なお、ユーザによってパワーオフ操作がなされた場合に、その時点で選択されていないほうのファームウェアをＦＬＡＳＨメモリ２２から消去するようにしても良い。
【００６５】
［第７の実施形態］
次に、本発明の第７の実施形態について説明する。第７の実施形態は、第６の実施形態の変形例であり、操作系切り替えメニューにおいてファームウェアの切り替えを行うのではなく、専用の切り替えボタンの操作によって切り替えを行う例である。
【００６６】
図１７は、第７の実施形態に係る操作機能設定システムにおけるカスタマイズ処理について示すフローチャートである。サーバ５からＰＣ３を介してファームウェアが受信されると、ＣＰＵ２６は、受信したファームウェアをＳＤＲＡＭ２１に展開する（ステップＳ８１）。その後、ＣＰＵ２６は、ファームウェアＢが読み出されていることを示すフラグであるＢフラグを１にセットして、試用モードに移行する（ステップＳ８２）。ここで、第７の実施形態においては、試用モードに移行する際に図１８に示す切り替えボタン２０８をタッチパネル２０に設けるようにする。
【００６７】
試用モードにおいて、ＣＰＵ２６は、ユーザ操作に対応したカメラ動作を実行する（ステップＳ８３）。また、試用モードにおいて、ＣＰＵ２６は、ユーザによって切り替えボタン２０８が押されたか否かを判定する（ステップＳ８４）。ステップＳ８４の判定において、切り替えボタン２０８が押されていない場合には、ステップＳ８３に戻る。一方、ステップＳ８４の判定において、切り替えボタン２０８が押された場合には、ステップＳ８４をステップＳ８５に分岐して、ＣＰＵ２６は、ファームウェアＡが読み出されていることを示すフラグであるＡフラグが１にセットされているか否かを判定する（ステップＳ８５）。ステップＳ８５の判定において、Ａフラグが１にセットされている場合には、ステップＳ８５をステップＳ８６に分岐して、ＣＰＵ２６は、ファームウェアＢをＦＬＡＳＨメモリ２２から読み出してＳＤＲＡＭ２１に展開する（ステップＳ８６）。その後、ＣＰＵ２６は、Ｂフラグを１にセットする（ステップＳ８７）。次に、ＣＰＵ２６は、ユーザによってパワーオフ操作がなされたか否かを判定する（ステップＳ８８）。ステップＳ８８の判定において、ユーザによってパワーオフ操作がなされていない場合には、ステップＳ８３に戻る。一方、ステップＳ８８の判定において、ユーザによってパワーオフ操作がなされた場合に、ＣＰＵ２６は、パワーオフ処理を行って、デジタルカメラ１の電源をオフする。これにより、図１７の処理が終了する。
【００６８】
また、ステップＳ８５の判定において、Ａフラグが１にセットされていない場合には、ステップＳ８５をステップＳ８９に分岐して、ＣＰＵ２６は、Ｂフラグが１にセットされているか否かを判定する（ステップＳ８９）。ステップＳ８９の判定において、Ｂフラグが１にセットされている場合には、ステップＳ８９をステップＳ９０に分岐して、ＣＰＵ２６は、ファームウェアＡをＦＬＡＳＨメモリ２２から読み出してＳＤＲＡＭ２１に展開し（ステップＳ９０）、Ａフラグを１にセットする（ステップＳ９１）。その後、ステップＳ８８に移行する。
【００６９】
一方、ステップＳ８９の判定において、Ｂフラグも１にセットされていない場合には、異常であるとして警告表示を行うなどの異常処理を行う（ステップＳ９２）。
【００７０】
以上説明したような第７の実施形態の手法でも試用モード中に、カスタマイズ前のファームウェアを読み出して、タッチパネル２０の操作を行うことができる。
【００７１】
次に、図１９を参照してファームウェアの読み出し及び書き込みについて説明する。ここで、図１９（ａ）はカスタマイズが行われる前における読み出し及び書き込みについて説明するための図であり、図１９（ｂ）は第１〜第５の実施形態におけるファームウェアの書き換え処理がなされるときの読み出し及び書き込みについて説明するための図であり、図１９（ｃ）は第６、第７の実施形態におけるファームウェアの追加処理がなされるときの読み出し及び書き込みについて説明するための図である。
【００７２】
カスタマイズ前において、ＦＬＡＳＨメモリ２２には、各種設定情報と共に、ファームウェアＡ（図ではＰｒｇＡと表記している）が書き込まれている。このファームウェアＡは、例えばデジタルカメラ１のパワーオン時にＦＬＡＳＨメモリ２２から読み出されてＳＤＲＡＭ２１に展開され、ＳＤＲＡＭ２１から実行されるようになっている（図１９（ａ））。
【００７３】
これに対し、第１の実施形態〜第５の実施形態の場合には、ユーザによるファームウェアのカスタマイズの後で、サーバ５からＰＣ３を介して送信された新たなファームウェアＢ（図ではＰｒｇＢと表記している）が、まずＳＤＲＡＭ２１に格納される。その後、試用モードを経て、ＳＤＲＡＭ２１からファームウェアＢが読み出されてＦＬＡＳＨメモリ２２に書き込まれていたファームウェアＡが上書きされる（図１９（ｂ））。
【００７４】
また、第６及び第７の実施形態の場合には、ユーザによるファームウェアのカスタマイズの後で、サーバ５からＰＣ３を介して送信された新たなファームウェアＢが、まずＳＤＲＡＭ２１に格納される。その後、試用モードを経て、ＳＤＲＡＭ２１からファームウェアＢが読み出されてＦＬＡＳＨメモリ２２内のファームウェアＡが格納されている領域とは別の領域に書き込まれる（図１９（ｂ））。
【００７５】
以上実施形態に基づいて本発明を説明したが、本発明は上記した実施形態に限定されるものではなく、本発明の要旨の範囲内で種々の変形や応用が可能なことは勿論である。
【００７６】
例えば、上述の実施形態における試用モード時に表示される画面は、あくまでも一例であって変更可能である。例えば、上述したカスタマイズにおいてはタッチパネル２０のカスタマイズをファームウェアに書き換えによって行っているが、これ以外の手法を用いても良い。  
また、上述の実施形態で説明した各機能は、ハードウエアを用いて構成しても良く、また、ソフトウェアを用いて各機能を記載したプログラムをコンピュータに読み込ませて実現しても良い。また、各機能は、適宜ソフトウェア、ハードウエアの何れかを選択して構成するものであっても良い。  
更に、各機能は図示しない記録媒体に格納したプログラムをコンピュータに読み込ませることで実現させることもできる。この場合の記録媒体は、プログラムを記録でき、かつコンピュータが読み取り可能な記録媒体であれば、その記録形式は何れの形態であってもよい。
【００７７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７８】
【図１】本発明の第１の実施形態に係る操作機能設定システムのシステム構成図である。
【図２】デジタルカメラの構成を示すブロック図である。
【図３】抵抗膜方式のタッチパネルについて説明するための図である。
【図４】ファームウェアのカスタマイズ前のタッチパネルの状態について示した図である。
【図５】第１の実施形態に係る操作機能設定システムにおけるカスタマイズ処理について説明するための図である。
【図６】第１〜第５の実施形態におけるファームウェアのカスタマイズについての一例を示す図である。
【図７】試用モードについて説明するための図である。
【図８】ファームウェアのカスタマイズ後のタッチパネルの状態について示した図である。
【図９】第２の実施形態に係る操作機能設定システムにおけるユーザ操作に応じたカメラ動作処理について説明するための図である。
【図１０】第３の実施形態に係る操作機能設定システムにおけるカスタマイズ処理について説明するための図である。
【図１１】第４の実施形態に係る操作機能設定システムにおけるカスタマイズ処理について説明するための図である。
【図１２】第５の実施形態に係る操作機能設定システムにおけるカスタマイズ処理について説明するための図である。
【図１３】第５の実施形態におけるトップメニュー画面について示す図である。
【図１４】第６及び第７の実施形態におけるファームウェアのカスタマイズについての一例を示す図である。
【図１５】第６の実施形態に係る操作機能設定システムにおけるカスタマイズ処理について説明するための図である。
【図１６】図１６（ａ）は第６の実施形態におけるトップメニュー画面について示す図であり、図１６（ｂ）は操作系切り替えメニューについて示す図である。
【図１７】第７の実施形態に係る操作機能設定システムにおけるカスタマイズ処理について説明するための図である。
【図１８】切り替えボタンについて示す図である。
【図１９】ファームウェアの読み出し及び書き込みについて説明するための図である。
【符号の説明】
【００７９】
１…デジタルカメラ、２，４，２７…通信部、３…パーソナルコンピュータ（ＰＣ）、５…サーバ、６…記録メディア、１１…撮影レンズ、１２…撮像素子、１３…撮像回路、１４…ＡＥ回路、１５…ＡＦ回路、１６…画像処理回路、１７…着脱メモリ、１８…表示部、１９…表示駆動回路、２０…タッチパネル、２１…ＳＤＲＡＭ（メモリ）、２２…ＦＬＡＳＨメモリ、２３…パワーＳＷ、２４…モードＳＷ、２５…操作部材、２６…ＣＰＵ、２８…電池、２９…電源回路
【図１】
2007006232.tif 000003
【図２】
2007006232.tif 000004
【図３】
2007006232.tif 000005
【図４】
2007006232.tif 000006
【図５】
2007006232.tif 000007
【図６】
2007006232.tif 000008
【図７】
2007006232.tif 000009
【図８】
2007006232.tif 000010
【図９】
2007006232.tif 000011
【図１０】
2007006232.tif 000012
【図１１】
2007006232.tif 000013
【図１２】
2007006232.tif 000014
【図１３】
2007006232.tif 000015
【図１４】
2007006232.tif 000016
【図１５】
2007006232.tif 000017
【図１６】
2007006232.tif 000018
【図１７】
2007006232.tif 000019
【図１８】
2007006232.tif 000020
【図１９】
2007006232.tif 000021